(57)【特許請求の範囲】
【請求項１】
筺体に熱交換器と送風ファンとを備え、前記送風ファンの運転により、前記熱交換器を通じて前記筺体内に吸い込まれた空気を当該筺体外に吹き出す空気調和装置の室外ユニットにおいて、
前記熱交換器は、互いに間隔を設けて略平行に並べられた複数のフィンプレートと、これらフィンプレートを貫通して、当該フィンプレートの長さ方向に並設された複数の冷媒経路とを備え、前記熱交換器を前記送風ファンに近い第１の領域と、この第１の領域よりも当該送風ファンから離間した第２の領域とに区分けし、前記第１の領域に配置される前記冷媒経路は、各冷媒経路の入口と出口との間で当該冷媒経路を分岐する分岐管を備えたことを特徴とする空気調和装置の室外ユニット。
【請求項２】
前記分岐管は、前記冷媒経路の略中央部よりも前記出口側に設けられることを特徴とする請求項１に記載の空気調和装置の室外ユニット。
【請求項３】
前記分岐管は、１つの分岐管入口と、２つの分岐管出口とを備え、一方の分岐管出口が他方の分岐管出口よりも前記送風ファンに近接して設けられ、この一方の分岐管出口と前記分岐管入口とを直線的に繋いだことを特徴とする請求項１または２に記載の空気調和装置の室外ユニット。
【請求項４】
前記冷媒経路の入口、出口及び前記分岐管をそれぞれ熱交換器の一端側に配置したことを特徴とする請求項１乃至３のいずれかに記載の空気調和装置の室外ユニット。
【請求項５】
前記第１の領域と前記第２の領域との長さの比を約１：２としたことを特徴とする請求項１乃至４のいずれかに記載の空気調和装置の室外ユニット。
【請求項６】
前記熱交換器の下方には、この熱交換器と前記フィンプレートを共用し、当該熱交換器の結氷防止コイルとして機能する補助熱交換器を備えることを特徴とする請求項１乃至５のいずれかに記載の空気調和装置の室外ユニット。
【発明の詳細な説明】
【技術分野】
【０００１】
本発明は、筺体に熱交換器と送風ファンとを備える空気調和装置の室外ユニットに関する。
【背景技術】
【０００２】
一般に、筺体に熱交換器と送風ファンとを備え、前記送風ファンの運転により、前記熱交換器を通じて前記筺体内に吸い込まれた空気を当該筺体外に吹き出す空気調和装置の室外ユニットが知られている（例えば、特許文献１参照）。
【先行技術文献】
【特許文献】
【０００３】
【特許文献１】特開２００１−３３６７８６号公報
【発明の概要】
【発明が解決しようとする課題】
【０００４】
ところで、この種の室外ユニットでは、熱交換器は、フィンプレートの長さ方向に並設された複数の冷媒経路を備え、各冷媒経路に冷媒を並行に流すことにより、当該熱交換器を通過する空気との十分な熱交換を実現している。また、暖房運転時、すなわち熱交換器が蒸発器として働く際には、低温の外気から熱を汲み上げる必要があるため、熱交換器における熱交換効率の向上が求められている。
しかし、室外ユニットには、例えば、筐体の側面に熱交換器が配置され、この筐体の上面に送風ファンが配置されるものが多く、このような構成では、送風ファンに近い上部ほど熱交換器を通過する空気量が多くなる傾向にある。このため、送風ファンに近い領域では、熱交換器を流れる冷媒量と空気量とのバランスが崩れ、熱交換効率が低下するおそれがあった。
【０００５】
本発明は、上述した事情に鑑みてなされたものであり、送風ファンに近い領域における熱交換器の熱交換効率の向上を図った空気調和装置の室外ユニットを提供することを目的とする。
【課題を解決するための手段】
【０００６】
上記目的を達成するため、本発明は、筺体に熱交換器と送風ファンとを備え、前記送風ファンの運転により、前記熱交換器を通じて前記筺体内に吸い込まれた空気を当該筺体外に吹き出す空気調和装置の室外ユニットにおいて、前記熱交換器は、互いに間隔を設けて略平行に並べられた複数のフィンプレートと、これらフィンプレートを貫通して、当該フィンプレートの長さ方向に並設された複数の冷媒経路とを備え、前記熱交換器を前記送風ファンに近い第１の領域と、この第１の領域よりも当該送風ファンから離間した第２の領域とに区分けし、前記第１の領域に配置される前記冷媒経路は、各冷媒経路の入口と出口との間で当該冷媒経路を分岐する分岐管を備えたことを特徴とする。
【０００７】
この構成において、前記分岐管は、前記冷媒経路の略中央部よりも前記出口側に設けても良い。また、前記分岐管は、１つの分岐管入口と、２つの分岐管出口とを備え、一方の分岐管出口が他方の分岐管出口よりも前記送風ファンに近接して設けられ、この一方の分岐管出口と前記分岐管入口とを直線的に繋いだ構成としても良い。
【０００８】
また、前記冷媒経路の入口、出口及び前記分岐管をそれぞれ熱交換器の一端側に配置しても良い。また、前記第１の領域と前記第２の領域との長さの比を約１：２としても良い。また、前記熱交換器の下方には、この熱交換器と前記フィンプレートを共用し、当該熱交換器の結氷防止コイルとして機能する補助熱交換器を備えても良い。
【発明の効果】
【０００９】
本発明によれば、熱交換器を送風ファンに近い第１の領域と、この第１の領域よりも当該送風ファンから離間した第２の領域とに区分けし、第１の領域に配置される冷媒経路は、各冷媒経路の入口と出口との間で当該冷媒経路を分岐する分岐管を備えるため、分岐管の下流側での冷媒の流通抵抗を減少させることができ、その分、各冷媒経路を流通する冷媒量を増加させることが可能となる。これにより、送風ファンに近く通風量の多い第１の領域に冷媒を多量に流通させることができるため、この第１の領域での熱交換量が増大し、当該熱交換効率の向上を図ることができる。
【図面の簡単な説明】
【００１０】
【図１】本発明の一実施の形態を示す空気調和装置の室外ユニットの側断面図である。
【図２】室外ユニットの内部構成を示す上面図である。
【図３】熱交換器の一端側を示す模式図である。
【図４】図３の部分拡大図である。
【発明を実施するための形態】
【００１１】
以下、本発明の一実施の形態を、図面を参照しながら説明する。
空気調和装置１は、室外ユニット１０と室内ユニット（不図示）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
図１は、室外ユニット１０の側断面図であり、図２は、室外ユニット１０の内部構成を示す上面図である。室外ユニット１０は、図１に示すように、略直方体箱形状のユニットケース（筐体）１１を備え、このユニットケース１１は、底板１２と、この底板１２の４隅から鉛直方向に延びる支柱１４と、前面パネル１５とを有して構成される。底板１２上には、図２に示すように、上面視で略コ字状に形成された熱交換器２１が配置され、この熱交換器２１はユニットケース１１の前面を除いた３つの側面部を構成し、このユニットケース１１の左側面から背面及び右側面に沿わせて配置されている。
【００１２】
ユニットケース１１は、図１に示すように、熱交換器２１の上部に送風機（送風ファン）２２が配置され、この送風機２２は、熱交換器２１の上方に配置されるファンモーター２３と、このファンモーター２３の軸に取り付けられたプロペラファン（羽根車）２４とを備えて構成される。
前後に隣接する支柱１４、１４間には、熱交換器２１の上端に相当する位置で当該支柱１４、１４を連結する連結部材１６、１６が設けられ、ファンモーター２３は、これら連結部材１６、１６間に架け渡された一対の支持フレーム（不図示）に固定される。
プロペラファン２４の周囲には、プロペラファン２４の吸込側の空気を吹出側に案内するベルマウス２５が設けられ、このベルマウス２５の吹出開口２５Ａは、プロペラファン２４への人体などの接触を防止するファンガード２６で覆われる。また、ベルマウス２５の周囲には、発泡スチロール等の断熱材を介して化粧パネル２７が設けられている。
ファンモーター２３によりプロペラファン２４が回転駆動されると、室外ユニット１０の周囲、より具体的には図１，２中矢印Ｘで示すように、ユニットケース１１の前面を除いた左側面側、背面側及び右側面側から外気がユニットケース１１内に吸い込まれ、このユニットケース１１の上面部に設けられたベルマウス２５の吹出開口２５Ａを通じて外に排出される。つまり、この室外ユニット１０は、ユニットケース１１の側面から空気を吸い込んで、上面から熱交換後の空気を吹き出す上面吹き出しタイプに構成されている。
【００１３】
ユニットケース１１内には、底板１２上に、冷媒回路の一部を構成する２台の圧縮機３０Ａ，３０Ｂ、アキュムレータ３５、オイルセパレーター３６及びレシーバータンク３７が設けられるとともに、四方弁（図示せず）や膨張弁（図示せず）といった弁体などの冷媒回路構成部品が配管接続されて収容される。これら冷媒回路構成部品の配管の一端側は、熱交換器２１を介して室内ユニットと配管接続され、当該冷媒回路構成部品の配管の他端側は室内ユニットに配管接続され、これにより、冷媒を循環する冷媒回路が構成される。
【００１４】
アキュムレータ３５、オイルセパレーター３６及びレシーバータンク３７は、冷媒または冷凍機油を一時的に貯留する圧力容器であり、メンテナンス頻度が低いものである。一方、上記した圧縮機３０Ａ，３０Ｂや冷媒回路構成部品は、モーターやコイル等の電動要素を備えるため、メンテナンス頻度が高い。このため、本構成では、ユニットケース１１の前面側に底板１２から上方に延びる仕切り板３８が設けられる。この仕切り板３８は、途中まで上方に延びた後に前方に屈曲され、その上端部が電装箱３４に接続されている。ユニットケース１１内は、図１に示すように、仕切り板３８によって、熱交換室３９と機械室４０とに区分けされ、この機械室４０にメンテナンス頻度の高い圧縮機３０Ａ，３０Ｂや冷媒回路構成部品が収容され、熱交換室３９には、メンテナンス頻度の低い熱交換器２１、アキュムレータ３５、オイルセパレーター３６及びレシーバータンク３７が収容されている。
このため、本実施形態では、前面パネル１５を取り外すことによって、作業者が前面側から圧縮機３０Ａ，３０Ｂや電装箱３４内の電装品等のメンテナンス作業を容易に行うことができ、更に、機械室４０に収容された圧縮機３０Ａ，３０Ｂ等の機器は、仕切り板３８により直接雨滴がかかることが防止される。
【００１５】
次に、熱交換器２１について説明する。
熱交換器２１は、図２に示すように、複数（本実施形態では３つ）の熱交換部４１〜４３を厚み方向に積層した多列型の熱交換器である。各々の熱交換部４１〜４３は、それぞれユニットケース１１の高さ方向に延在し、互いに間隔を設けて略平行に並べられた複数のフィンプレート４４と、これらフィンプレート４４を貫通して略水平方向に延びる伝熱管４５（図１）とを備え、この伝熱管４５が各フィンプレート４４に縦一列で配置された単列の熱交換器である。
本実施形態では、直線状に延びた平型形状の熱交換部４１〜４３を厚み方向に重ね、一方の端部２１Ｌの位置を揃えて同一の管板（不図示）で連結し、他方の端部２１Ｒを自由端とした状態で、熱交換部４１〜４３を屈曲することにより上面視コ字状に形成される。
他方の端部２１Ｒには、各熱交換部４１〜４３に設けられた上下の伝熱管４５を繋ぐＵ字管が縦一列に設けられ、この他方の端部２１Ｒは、伝熱管４５内を流れる冷媒を、Ｕ字管を介して一方の端部２１Ｌ側に流す冷媒折り返し部とされる。また、一方の端部２１Ｌには、冷媒出入り口が設けられている。
【００１６】
また、本実施形態では、図１に示すように、熱交換器２１の下端部には、この熱交換器２１とフィンプレート４４を共用することにより、当該熱交換器２１と一体に形成された補助熱交換器２８が設けられている。この補助熱交換器２８は、熱交換器２１の除霜時に、溶けた除霜水が結氷することを防止する結氷防止コイルとして機能するものである。補助熱交換器２８の一端には、圧縮機３０Ａ，３０Ｂの吐出管から分岐した分岐管（不図示）が接続され、この補助熱交換器２８の他端には、キャピラリチューブ等の減圧手段を備えてアキュムレータ３５に接続される戻し管（不図示）が接続されている。これにより、暖房運転時には、圧縮機３０Ａ，３０Ｂから吐出された高温高圧の冷媒が補助熱交換器２８に供給されることにより、この補助熱交換器２８が温められる。これにより、暖房運転時に蒸発器として機能する熱交換器２１の下方で、除霜水が結氷することを防止することができ、熱交換効率の向上を図っている。
また、冷房運転時には、圧縮機３０Ａ，３０Ｂから吐出された高温高圧の冷媒が補助熱交換器２８に供給されることにより、この補助熱交換器２８は、熱交換器２１とともに凝縮器として機能する。このため、熱交換器２１及び補助熱交換器２８を構成するフィンプレート４４の伝熱面積を全範囲に亘って使用することができる。
【００１７】
図３は、熱交換器２１の一方の端部２１Ｌ側における伝熱管４５の接続状態を示す模式図である。この一方の端部２１Ｌには、膨張弁（不図示）を介して、室内ユニットの室内熱交換器（不図示）に接続され、液冷媒が流れる液冷媒管５０と、四方弁（不図示）を介して圧縮機３０Ａ，３０Ｂの吐出管または吸込管の一方に接続され、ガス冷媒が流れるガス冷媒管５１とが設けられている。
液冷媒管５０は、２つに分岐された液分岐管５０Ａ，５０Ｂを介して、それぞれ液側分配器５２，５３に接続される。一方の液側分配器５２には７つの冷媒経路６１〜６７が接続され、他方の液側分配器５３には８つの冷媒経路６８〜７５が接続されている。これら各冷媒経路６１〜７５は、熱交換器２１の高さ方向に並設されており、各冷媒経路６１〜７５に冷媒が分流される。
ガス冷媒管５１は、２つに分岐されたガス分岐管５１Ａ，５１Ｂを介して、それぞれガス側分配器５４，５５に接続される。一方のガス側分配器５４には１２の冷媒経路６１−１，６１−２〜６５−１，６５−２，６６，６７が接続され、他方のガス側分配器５５には８つの冷媒経路６８〜７５が接続されている。冷媒経路６１−１，６１−２〜６５−１，６５−２は、後述するように、冷媒経路６１〜６５をそれぞれ２つに分岐して形成されている。図３において、各冷媒経路を示す符号の前に付けられた文字は液（Ｌ）かガス（Ｇ）化を示すものである。
本構成では、冷房運転時、すなわち熱交換器２１が凝縮器として働く際には、ガス冷媒管５１から熱交換器２１に流入した冷媒が、熱交換器２１にて凝縮されて液化し、液冷媒管５０を通じて排出される。また暖房運転時、すなわち熱交換器２１が蒸発器として働く際には、液冷媒管５０から熱交換器２１に流入した液冷媒が、熱交換器２１にて蒸発されてガス化し、ガス冷媒管５１を通じて排出される。
【００１８】
ところで、暖房運転時、すなわち熱交換器２１が蒸発器として働く際には、低温の外気から熱を汲み上げる必要があるため、熱交換器２１における熱交換効率の向上が求められている。一方、上述した構成を有する熱交換器２１では、送風機２２がユニットケース１１の上面に配置されているため、送風機２２に近接した熱交換器２１の上部の方が下部に比べて通風量が多くなる傾向にある。
このため、本構成では、図３に示すように、熱交換器２１を送風機２２に近い第１の領域２１Ａと、この第１の領域２１Ａよりも送風機２２から離間した第２の領域２１Ｂとに区分けし、第１の領域２１Ａに設けられる冷媒経路６１〜６５の冷媒流量を簡単な構成で多くすることにより、この第１の領域２１Ａでの熱交換器２１の熱交換効率の向上を図っている。
具体的には、各冷媒経路６１〜６５は、図４に示すように、伝熱管４５を蛇行しながら冷媒が流れるようにＵ字管４６によって接続されるとともに、一方の液側分配器（入口）５２と一方のガス側分配器（出口）５４との間で、これら冷媒経路６１〜６５を流れる冷媒をそれぞれ１パスから２パスに分岐して、上記冷媒経路６１−１，６１−２〜６５−１，６５−２に排出するための分岐管４７を備える。
この分岐管４７は、一対の伝熱管４５，４５間を接続する長管部４７Ａと、この長管部４７Ａと他の伝熱管４５とを接続する短管部４７Ｂとを備え、略Ｔ字状に形成されている。この短管部４７Ｂの一端は、長管部４７Ａの略中央部に接続されている。
また、第２の領域２１Ｂに配置される冷媒経路６６〜７５については、図３に示すように、分岐することなく、一方の液側分配器（入口）５２と一方のガス側分配器（出口）５４との間を１パスで接続している。このため、第２の領域２１Ｂの各冷媒経路６６〜７５を流れる冷媒の流量に比べて、第１の領域２１Ａの各冷媒経路６１〜６５を流れる冷媒の流量を相対的に増大させることができる。また、第１の領域２１Ａと第２の領域２１Ｂとの高さの比は、各領域に配置される冷媒経路の数に応じて約１：２に設定されている。
【００１９】
冷媒経路６１，６４では、各冷媒経路６１，６４の入口側の伝熱管４５Ａを、分岐管４７の短管部４７Ｂに接続し、長管部４７Ａの両端を出口側の伝熱管４５Ｂ，４５Ｃに接続して分岐している。このため、冷媒経路６１を流れる冷媒は、分岐管４７にて２つに分岐された冷媒経路６１−１，６１−２に略均等に分配されて一方のガス側分配器５４に排出される。また、冷媒経路６４については、冷媒経路６１と同一であるため、同等の符号を付して説明を省略する。
このため、分岐管４７の下流側での冷媒の流通抵抗を減少させることができ、その分、各冷媒経路６１，６４を流通する冷媒量を増加させることが可能となる。これにより、通風量の多い第１の領域２１Ａに冷媒を多量に流通させることができるため、この第１の領域２１Ａでの熱交換量が増大し、当該熱交換効率の向上を図ることができる。
また、冷媒経路６２，６３，６５では、各冷媒経路６２，６３，６５の入口側の伝熱管４５Ｄを分岐管４７の長管部４７Ａの一端に接続し、この長管部４７Ａの他端及び短管部４７Ｂを出口側の伝熱管４５Ｅ，４５Ｆにそれぞれ接続して分岐している。本実施形態では、長管部４７Ａの一端が分岐管入口として機能し、長管部４７Ａの他端及び短管部４７Ｂが分岐管出口として機能する。
この場合、分岐管４７は、長管部４７Ａの他端が送風機２２に近い側へ向くように配置されているため、冷媒経路６２，６３，６５を流れる冷媒中に混在する液冷媒を主として長管部４７Ａの他端側へ流すことができ、より通風量の多い送風機２２に近い側に液冷媒を導くことにより、この液冷媒を確実に蒸発させることができる。
【００２０】
熱交換器２１を蒸発器として機能させた場合、この熱交換器２１の各冷媒経路６１〜６５を流通する液冷媒は、熱交換により徐々にガス化して気液混合状態となる。ガス冷媒は液冷媒に比べて体積が極めて大きいため、ガス冷媒が流通する際の流通抵抗は液冷媒よりも大きくなっている。
本構成では、分岐管４７は、中央の熱交換部４２と内側の熱交換部４３との間、すなわち、各冷媒経路６１〜６５の略中央部よりも一方のガス側分配器（出口）５４に近い側に設けられている。このため、蒸発によってガス冷媒が生じたことによって流通抵抗が上昇したとしても、液冷媒が蒸発してガス冷媒の割合が増えた段階で冷媒経路６１〜６５がそれぞれ２つの冷媒経路６１−１〜６５−２に分岐されるため、この分岐された後の冷媒経路６１−１〜６５−２の流通抵抗を減少させることができ、ひいては、第１の領域２１Ａでの熱交換量が増大し、当該熱交換効率の向上を図ることができる。
更に、本構成では、熱交換器２１は、一方の液側分配器（入口）５２、一方のガス側分配器（出口）５４及び分岐管４７をすべて一方の端部２１Ｌ側に設けている。これによれば、他方の端部２１Ｒ側を従来と同様の構成としたまま、一方の端部２１Ｌ側での作業のみで熱交換効率の向上を実現することができる。
【００２１】
以上、説明したように、本実施形態によれば、ユニットケース１１に熱交換器２１と送風機２２とを備え、送風機２２の運転により、熱交換器２１を通じてユニットケース１１内に吸い込まれた空気を当該ユニットケース１１外に吹き出す空気調和装置の室外ユニット１０において、熱交換器２１は、互いに間隔を設けて略平行に並べられた複数のフィンプレート４４と、これらフィンプレート４４を貫通して、当該フィンプレートの長さ方向に並設された複数の冷媒経路６１〜７５とを備え、熱交換器２１を送風機２２に近い第１の領域２１Ａと、この第１の領域２１Ａよりも当該送風機から離間した第２の領域２１Ｂとに区分けし、第１の領域２１Ａに配置される冷媒経路６１〜６５は、一方の液側分配器５２と一方のガス側分配器５４との間で当該冷媒経路６１〜６５をそれぞれ２つの冷媒経路６１−１，６１−２〜６５−１，６５−２に分岐する分岐管４７を備えたため、分岐管４７の下流側での冷媒の流通抵抗を減少させることができ、その分、各冷媒経路６１〜６５を流通する冷媒量を増加させることが可能となる。これにより、通風量の多い第１の領域２１Ａに冷媒を多量に流通させることができるため、この第１の領域２１Ａでの熱交換量が増大し、当該熱交換効率の向上を図ることができる。
【００２２】
また、本実施形態によれば、分岐管４７は、冷媒経路６１〜６５の略中央部よりも一方のガス側分配器５４側に設けられるため、蒸発によってガス冷媒が生じたことによって流通抵抗が上昇したとしても、液冷媒が蒸発してガス冷媒の割合が増えた段階で冷媒経路６１〜６５がそれぞれ２つの冷媒経路６１−１〜６５−２に分岐されるため、この分岐された後の冷媒経路６１−１〜６５−２の流通抵抗を減少させることができ、ひいては、第１の領域２１Ａでの熱交換量が増大し、当該熱交換効率の向上を図ることができる。
【００２３】
また、本実施形態によれば、冷媒経路６２，６３，６５の入口側の伝熱管４５Ｄを分岐管４７の長管部４７Ａの一端に接続し、この長管部４７Ａの他端及び短管部４７Ｂを出口側の伝熱管４５Ｅ，４５Ｆにそれぞれ接続して分岐するとともに、分岐管４７は、長管部４７Ａの他端が送風機２２に近い側へ向くように配置されているため、冷媒経路６２，６３，６５を流れる冷媒中に混在する液冷媒を主として長管部４７Ａの他端側へ流すことができ、より通風量の多い送風機２２に近い側に液冷媒を導くことにより、この液冷媒を確実に蒸発させることができる。
【００２４】
また、本実施形態によれば、冷媒経路６１〜６５の入口、出口としての一方の液側分配器５２、一方のガス側分配器５４及び分岐管４７をそれぞれ熱交換器２１の一方の端部２１Ｌ側に配置したため、他方の端部２１Ｒ側を従来と同様の構成としたまま、一方の端部２１Ｌ側での作業のみで熱交換効率の向上を実現することができる。
【００２５】
以上、本発明の一実施形態について説明したが、本発明はこれに限定されるものではなく、種々の変更実施が可能である。例えば、本実施形態によれば、室外ユニット１０は、ユニットケース１１の上面に送風機２２を配置し、側面に熱交換器２１を備える構成としていたが、これに限るものではなく、熱交換器２１の送風量が送風機２２の位置に応じて変動するものであれば、送風機２２の配置位置は上面でなくても良い。また、本実施形態では、熱交換器２１が上面視で略コ字状に形成されていたが、平板状であっても略Ｌ字状であっても良い。また、熱交換器２１は、３つの熱交換部４１〜４３を積層して構成していたが、２層としても４層としても良い。
【符号の説明】
【００２６】
１  空気調和装置
１０  室外ユニット
１１  ユニットケース（筺体）
２１  熱交換器
２１Ａ  第１の領域
２１Ｂ  第２の領域
２１Ｌ  一方の端部
２１Ｒ  他方の端部
２２  送風機（送風ファン）
３０Ａ，３０Ｂ  圧縮機
４１〜４３  熱交換部
４４  フィンプレート
４５、４５Ａ〜４５Ｆ  分岐管
４６  Ｕ字管
４７  分岐管
４７Ａ  長管部
４７Ｂ  短管部
５２  一方の液側分配器（入口）
５４  ガス側分配器（出口）
６１〜７５  冷媒経路
【図１】
0005450206.tif 000002
【図２】
0005450206.tif 000003
【図３】
0005450206.tif 000004
【図４】
0005450206.tif 000005